(57)【特許請求の範囲】
【請求項１】
被検体に複数のボクセルを含む領域を設定し、前記領域の周波数スペクトラムを求める磁気共鳴スペクトロスコピー装置であって、
前記領域に高周波磁場を照射する送信部と、
前記領域から第１の核磁気共鳴信号を受信する受信部と、
前記受信部で受信した前記第１の核磁気共鳴信号を記憶する記憶部と、
前記第１の核磁気共鳴信号に基づいて、前記ボクセルごとに周波数スペクトラムを生成するための処理を実行する処理部と、
前記複数のボクセルのうち操作者の操作に応じて決められた一部のボクセルの周波数スペクトラムに対して、各周波数スペクトラムにおける第１の物質の信号値とノイズとの比を表すＳＮ比を計算し、各周波数スペクトラムに対して計算されたＳＮ比を平均化する計算部と、
平均化されたＳＮ比が閾値以下であるか否かを判定するＳＮ比判定部と、
前記平均化されたＳＮ比が閾値以下である場合に、前記送信部に再び高周波磁場を照射させ、前記受信部に前記領域から第２の核磁気共鳴信号を受信させる制御部と、を備え、
前記処理部は、前記第１の核磁気共鳴信号及び前記第２の核磁気共鳴信号に基づいて、前記ボクセルごとに周波数スペクトラムを生成するための処理を実行する、磁気共鳴スペクトロスコピー装置。
【請求項２】
平均化されたＳＮ比が閾値以下であると判定された場合、前記計算部は、前記第２の核磁気共鳴信号を受信する回数を計算する、請求項１に記載の磁気共鳴スペクトロスコピー装置。
【請求項３】
前記計算部は、前記各周波数スペクトラムを信号領域とノイズ領域とに分け、前記信号領域に含まれる前記第１の物質のピークと前記ノイズ領域の信号値とに基づいて、前記各周波数スペクトラムにおけるＳＮ比を計算する、請求項１又は２に記載の磁気共鳴スペクトロスコピー装置。
【請求項４】
前記閾値を入力する入力部と、
前記処理部により生成された周波数スペクトルを表示する表示部と、
を備える請求項１〜３のうちのいずれか一項に記載の磁気共鳴スペクトロスコピー装置。
【請求項５】
前記制御部は、撮影時間の上限値に基づいて、前記送信部に再び高周波磁場を照射させ、前記受信部に前記領域から第２の核磁気共鳴信号を受信させる、請求項１〜４のうちのいずれか一項に記載の磁気共鳴スペクトロスコピー装置。
【発明の詳細な説明】
【技術分野】
【０００１】
本発明は、磁気共鳴スペクトロスコピー装置に関する。特に代謝物質毎の分布を測定するスペクトログラムのＳＮ比の向上に関する。
【背景技術】
【０００２】
近年、磁気共鳴現象を利用することで、ＭＲＩ（Magnetic Resonance Imaging）画像では得られない代謝物質の濃度分布をスペクトルにより視覚的に捉えることができる磁気共鳴スペクトロスコピー（ＭＲＳ：Magnetic Resonance Spectroscopy）装置が開発されている。ＭＲＳとは、様々な分子の化学結合の違いによる磁気共鳴周波数の差異（ケミカルシフト）に基づいて、分子ごとの信号を分離する方法である。ケミカルシフトは、ある分子中の原子核の磁場が付近に存在する原子核によって作られる磁場の影響を受け、それにより同じ原子核であっても周囲の環境により共鳴周波数の違いが生じることで発生する。
【０００３】
ＭＲＳにおいて、病態の状況を把握するためには、代謝物質の相対量的情報が重要となる。正確な情報を得るためには撮影回数を増やせばよいが、臨床の現場においては、限られた検査時間に、最良の撮影を行わなくてはならない。現状のＭＲＳでは、撮影が終了してから代謝物質の情報を確認するが、その時点でＳＮ(Signal Noize)比が低い場合でも、代謝物質の量的情報を検討しなくてはならない。
【０００４】
特許文献１の装置では、エッジフィルタをＳＮ比が低いスペクトログラムに対して処理することで、高分解能のスペクトログラムを得ている。
【先行技術文献】
【特許文献】
【０００５】
【特許文献１】特開２００７−３０１１１８号公報
【発明の概要】
【発明が解決しようとする課題】
【０００６】
しかし、エッジフィルタで処理しても、結果としてスペクトログラムが不正確になることもあり、虚部信号によって代謝物質量が実際に存在しているものより多く見えてしまうこともある。そこで操作者又は医師に誤解を与えないスペクトログラム、つまり一定以上のＳＮ比を有するスペクトログラムを得ることが必要である。
【課題を解決するための手段】
【０００７】
そこで、本発明は、一定以上のＳＮ比を有するスペクトログラムを得る磁気共鳴スペクトロスコピー装置を提供する。
【０００８】
第１の観点の磁気共鳴スペクトロスコピー装置は、被検体の特定領域に高周波磁場を照射する送信部と、特定領域から第１の核磁気共鳴信号を受信する受信部と、受信部で受信した第１の核磁気共鳴信号を記憶する記憶部と、第１の核磁気共鳴信号に基づいて、周波数スペクトラムを算出する算出部とを備える。さらに、磁気共鳴スペクトロスコピー装置は、周波数スペクトラムの特定物質のＳＮ比が閾値以下であるか否かを判定するＳＮ比判定部と、ＳＮ比が閾値以下である場合に、送信部に再び高周波磁場を照射させ、受信部に特定領域から第２の核磁気共鳴信号を受信させる制御部と、を備える。そして画像処理部は、第１の核磁気共鳴信号及び第２の核磁気共鳴信号に基づいて、周波数スペクトラムを算出する。
つまり、ＳＮ比が低かった場合でも、さらに第１の核磁気共鳴信号に加えて、必要な受信回数だけ第２の核磁気共鳴信号を得て、周波数スペクトラムを算出する。
【０００９】
第２の観点の磁気共鳴スペクトロスコピー装置の制御部は、第１の核磁気共鳴信号の受信回数とＳＮ比とに基づいて、閾値に達する不足の受信回数を算出し、受信部に第２の核磁気共鳴信号を不足の受信回数分だけ受信させる。
第３の観点の磁気共鳴スペクトロスコピー装置の制御部は、第２の核磁気共鳴信号の撮影時間に基づいて、受信回数を算出する。
【００１０】
第４の観点の磁気共鳴スペクトロスコピー装置は、ＳＮ比が閾値を入力する入力部をさらに備える。
第５の観点の磁気共鳴スペクトロスコピー装置は、ＳＮ比を計算するＳＮ比計算部を備え、ＳＮ比計算部は、周波数スペクトラムを信号領域とノイズ領域とに判別分析し、特定物質のピークとノイズ成分の平均値とに基づいてＳＮ比を計算する。
【００１１】
第６の観点の磁気共鳴スペクトロスコピー装置の画像処理部は、複数のボクセル毎の周波数スペクトラムを算出する際には、複数のボクセルの少なくとも１つが基準ボクセルとして設定され、ＳＮ比判定部は、基準ボクセルにおいて、ＳＮ比が閾値以下であるか否かを判定する。
第７の観点の磁気共鳴スペクトロスコピー装置は、基準ボクセルが二以上の場合には、ＳＮ比判定部は、基準ボクセルにおいて、ＳＮ比を平均化する。
【発明の効果】
【００１２】
本発明の磁気共鳴スペクトロスコピー装置は、一定以上のＳＮ比を有するスペクトログラムを得ることができる。
【図面の簡単な説明】
【００１３】
【図１】磁気共鳴イメージング装置１０の概略構成図である。
【図２】第１実施形態のスペクトラムの算出フローチャートである。
【図３】第１の核磁気共鳴信号に基づいたスペクトログラムＳＰ１の一例である。
【図４】スペクトログラムＳＰ１の信号領域ＳＡとノイズ領域ＮＡとを示す図である。
【図５】第１及び第２の核磁気共鳴信号に基づいたスペクトログラムＳＰ２の一例である。
【図６】第２実施形態のスペクトログラムの算出フローチャートである。
【図７】第３実施形態のマルチボクセルに基づいた、設定とスペクトログラムとを示した図である。
【図８】第３実施形態のスペクトログラムの生成フローチャートである。
【発明を実施するための形態】
【００１４】
第１から第３実施形態の磁気共鳴スペクトロスコピー装置（ＭＲＳ：Magnetic Resonance Spectroscopy）について説明する。また、以下では、本発明に係る磁気共鳴スペクトロスコピー装置の機能を搭載した磁気共鳴イメージング装置を実施形態として説明し、磁気共鳴イメージング装置を「ＭＲＩ（Magnetic Resonance Imaging）装置」と呼ぶ。
【００１５】
＜＜第１実施形態＞＞
＜磁気共鳴イメージング装置の構成＞
第１実施形態に係るＭＲＩ装置の構成について説明する。図１は、第１実施形態に係るＭＲＩ装置の構成を説明するための図である。なお、第１実施形態に係るＭＲＩ装置は、ＭＲＩ画像を撮影するとともに、関心領域における磁気共鳴スペクトルを収集して、複数の代謝物質の濃度分布強度を示すスペクトル画像を生成する装置である。図１を参照して、第１実施形態の磁気共鳴イメージング装置１０の構成及びその基本動作について説明する。
【００１６】
磁気共鳴イメージング装置１０は、マグネットシステム１００、勾配コイル駆動部１３０、ＲＦコイル駆動部１４０、データ収集部１５０、パルスシーケンス制御部１６０、演算部１７０、表示部１８０及び操作部１９０を有する。
【００１７】
マグネットシステム１００は、主磁場コイル部１０２、勾配コイル部１０６及びＲＦコイル部１０８を有している。これら各コイル部は概ね円筒状の形状を有し、概ね円柱状のボアに互いに同軸状に配置されている。ボア内には被検者ＳＢが寝台１１０に載置されており、寝台１１０は、撮影部位に応じて、マグネットシステム１００内のボア内を移動可能になっている。
【００１８】
主磁場コイル部１０２は、マグネットシステム１００の内部空間に静磁場を形成する。静磁場の方向は、概ね被検者ＳＢの体軸の方向に平行であり水平磁場を形成する。主磁場コイル部１０２は、通常、超伝導コイルを用いて構成されるが、超伝導コイルに限らず永久磁石等を用いて構成してもよい。
【００１９】
勾配コイル部１０６は、互いに直交する３軸、すなわち、スライス軸、位相軸及び周波数軸の方向において、それぞれ主磁場コイル部１０２によって形成された静磁場強度に勾配を持たせるための３種の勾配磁場を発生する。このような勾配磁場の発生を可能にするために、勾配コイル部１０６は、図示しない３系統の勾配コイルを有する。勾配コイル部１０６には勾配コイル駆動部１３０が接続されており、勾配コイル駆動部１３０は勾配コイル部１０６に駆動信号を与えて勾配磁場を発生させる。勾配コイル駆動部１３０は、勾配コイル部１０６における３系統の勾配コイルに対応して、図示しない３系統の駆動回路を有する。
【００２０】
ＲＦコイル部１０８は、静磁場空間に被検者ＳＢの体内のスピンを励起するための高周波磁場を形成する。高周波磁場を形成することをＲＦ励起信号の送信といい、ＲＦ励起信号をＲＦパルスという。ＲＦコイル部１０８にはＲＦコイル駆動部１４０が接続されており、ＲＦコイル駆動部１４０はＲＦコイル部１０８に駆動信号を与え、その駆動信号に基づいてＲＦコイル部１０８はＲＦパルスを送信する。励起されたスピンが生じる電磁波すなわち核磁気共鳴信号は、ＲＦコイル部１０８によって受信される。ＲＦコイル部１０８にはデータ収集部１５０が接続されている。データ収集部１５０は、ＲＦコイル部１０８が受信した核磁気共鳴信号をデジタルデータとして収集する。
【００２１】
勾配コイル駆動部１３０、ＲＦコイル駆動部１４０及びデータ収集部１５０にはパルスシーケンス制御部１６０が接続されている。
【００２２】
パルスシーケンス制御部１６０は、操作者が入力した撮影条件、すなわち撮影プロトコルに従い、勾配コイル駆動部１３０及びＲＦコイル駆動部１４０を駆動させる。より具体的には、パルスシーケンス制御部１６０は、「ＭＲＩ画像を撮影するためのシーケンス情報」および「スペクトログラムを撮影するためのシーケンス情報」を生成する。それらシーケンス情報は、勾配コイル駆動部１３０及びＲＦコイル駆動部１４０に送信される。
【００２３】
表示部１８０は、グラフィックディスプレー等で構成されている。表示部１８０は演算部１７０に接続されている。表示部１８０は、ＧＵＩの操作画面、ＭＲＩ画像再構成用の核磁気共鳴信号に基づいて画像再構成された磁気共鳴画像、及びスペクトログラム用の核磁気共鳴信号に基づいてスペクトログラムなどを表示することができる。
【００２４】
操作部１９０は、ポインティングデバイスを有するキーボード等で構成される。操作部１９０は演算部１７０に接続されている。操作部１９０は、操作者によって表示部１８０を介して操作される。操作部１９０は、キーボード等の代わりに表示部１８０にタッチパネルを配置してもよい。
【００２５】
演算部１７０は、制御部１７１、記憶部１７２、画像処理部１７４、ＳＮ比計算部１７６及びＳＮ比判定部１７８を有する。
演算部１７０は、各種データの処理及びプログラムを実行する。制御部１７１は、データ収集部１５０及びパルスシーケンス制御部１６０等を制御する。記憶部１７２は、各種撮影プロトコル、各種プログラム及び各種データを記憶する。また記憶部１７２は、データ収集部１５０が収集した核磁気共鳴信号を記憶する。
【００２６】
画像処理部１７４は、ＭＲＩ画像再構成用の核磁気共鳴信号に基づいて磁気共鳴画像を画像再構成する。また、画像処理部１７４はスペクトログラム用の核磁気共鳴信号をフーリエ変換して周波数空間のデータに変換する。画像処理部１７４はその周波数空間のデータを周波数に対してプロットしてスペクトログラムを生成する。
【００２７】
ＳＮ比計算部１７６は、このスペクトログラムをまず信号領域とノイズ領域とに二分化する。例えば判別分析法を適用して、スペクトログラムの信号値が、基準値より大きい領域と、信号値が基準値より小さい領域とに、スペクトログラムの周波数の領域を二分化する。信号値が基準値以上の領域を信号領域、信号値が基準値以下の領域をノイズ領域とする。そして、ＳＮ比計算部１７６は、信号領域のピークとノイズ領域の平均値とのＳＮ比を計算する。
【００２８】
ＳＮ比判定部１７８は、ＳＮ比と閾値とを比較し、ＳＮ比が閾値を越えているか否かを判定する。
【００２９】
＜スペクトログラムの生成工程＞
図２は、第１実施形態のスペクトログラムの生成フローチャートである。
ステップＳ１１では、操作者は、スペクトログラムに要求するＳＮ比の閾値を入力する。大脳のスペクトログラムを生成する際には、代謝物質として、例えばクロアチン（Creatine）、コリン（Cholin）又はＮＡＡ（N-Aceryl-L―aspartate)が選ばれる。部位によっては、代謝物質として、乳酸又はクエン酸等が選ばれることもある。第１実施形態では、操作者は、操作部１９０を介して、例えば、代謝物質としてクロアチンのピークとノイズ領域の平均値とのＳＮ比の閾値を“８”と入力する。
【００３０】
なお、磁気共鳴イメージング装置１０の記憶部１７２が、これまでの経験値等からデフォルトとして閾値を記憶している場合には、ステップＳ１１を省略してもよい。また、第１実施形態のＳＮ比は、代謝物質のピークの高さとノイズ領域の平均値とのピーク信号対雑音比（ＰＳＮＲ）で説明する。しかし、本発明はこれに限られず、代謝物質の平均値とノイズ領域の平均値とのＳＮ比を適用してもよい。
【００３１】
ステップＳ１３では、まず表示部１８０に撮影条件設定用の初期画面が表示される。操作者は、表示された被検者ＳＢの大脳内に撮影領域を設定し、ボクセルサイズを設定する。さらに操作者は、データ収集部１５０が収集するスペクトログラム用の核磁気共鳴信号の受信回数を設定する。第１実施形態では、操作者は、１箇所のボクセル（シングルボクセル）を設定し、操作部１９０を介して、例えば受信回数を“３０”と入力する。
【００３２】
ステップＳ１５では、演算部１７０の指令に応じて、パルスシーケンス制御部１６０が、撮影プロトコルに従い、スペクトログラムを撮影するためのパルスシーケンスを送信する。
【００３３】
ステップＳ１７では、データ収集部１５０が、ＲＦコイル部１０８が受信した第１の核磁気共鳴信号を収集する。収集された第１の核磁気共鳴信号は、記憶部１７２に記憶される。記憶部１７２に記憶された第１の核磁気共鳴信号は、少なくとも本フローチャートの終了ステップに至るまでは記憶されている。
【００３４】
ステップＳ１９では、画像処理部１７４が、記憶された第１の核磁気共鳴信号に基づいて、スペクトログラムを生成する。詳述すると画像処理部１７４は、第１の核磁気共鳴信号をフーリエ変換し、周波数空間のデータに変換する。画像処理部１７４は、その周波数空間のデータを周波数に対してプロットしてスペクトログラムＳＰ１を生成する。例えば図３は、その一例である。図３の横軸は基準物質からの周波数のずれの割合（ケミカルシフト量）を示し、縦軸はその周波数の波の波高、すなわち水素原子の量を示している。
【００３５】
ステップＳ２１では、ＳＮ比計算部１７６が、代謝物質としてクロアチンのピークとノイズ領域の平均値とのＳＮ比を計算する。詳細は図４を参照しながら説明する。ＳＮ比計算部１７６は、図４に表示されたスペクトログラムＳＰ１を、例えば判別分析法を適用して、まず信号領域とノイズ領域とに二分化する。スペクトログラムＳＰ１の信号値が、基準値ＳＴより大きい領域と、信号値が基準値ＳＴより小さい領域とに、スペクトログラムの周波数の領域を二分化する。信号値が基準値以上の領域を信号領域ＳＡ、信号値が基準値以下の領域をノイズ領域ＮＡ（網掛け領域）とする。
【００３６】
さらに、ＳＮ比計算部１７６は、ノイズ領域ＮＡの平均値を計算し、ノイズ領域ＮＡの平均値との信号領域ＳＡのピークとＳＮ比を計算する。例えば第１実施形態では、代謝物質がケミカルシフト量３．０２ｐｐｍのクロアチンであり、クロアチンのピークの波高ＰＫ１とノイズ領域ＮＡの平均値ＮＶ１とのＳＮ比を計算する。代謝物質がクロアチンと決まっていれば、すべてのノイズ領域ＮＡの平均値ではなく、クロアチンの周辺のノイズ領域ＮＡの平均値を使用してもよい。第１実施形態では、ＳＮ比が“６”であったと仮定する。
【００３７】
ステップＳ２３では、ＳＮ比判定部１７８がステップＳ１１で設定された閾値よりＳＮ比が大きいかを判定する。ＳＮ比が大きいということは、操作者又は医師が充分にそのスペクトログラムＳＰ１を使って代謝物質を判断することができることを意味する。そのため、スペクトログラムＳＰ１の生成はここで終了する。ＳＮ比が閾値を越えない場合には、ステップＳ２５に進む。第１実施形態では、ステップＳ１１で設定された閾値が“８”であり、ＳＮ比が“６”であるため、ステップＳ２５に進む。
【００３８】
ステップＳ２５では、ＳＮ比計算部１７６が、さらに核磁気共鳴信号を受信する回数を計算する。ＳＮ比が“６”のスペクトログラムＳＰ１は、受信回数が３０回のパルスシーケンスで生成された。このため、ＳＮ比計算部１７６は、３０（受信回数）×８（閾値）／６（ＳＮ比）−３０（受信回数）＝１０（不足分の受信回数）と計算する。つまり、１０回以上、スペクトログラム用の核磁気共鳴信号を受信すれば、ＳＮ比の高いスペクトログラムを得ることができることがわかる。
【００３９】
ステップＳ２７では、パルスシーケンス制御部１６０が、１０回以上の核磁気共鳴信号を受信する撮影プロトコルに従い、パルスシーケンスを送信する。
ステップＳ２９では、データ収集部１５０が、ＲＦコイル部１０８が受信した第２の核磁気共鳴信号を収集する。収集された第２の核磁気共鳴信号は、記憶部１７２に記憶される。
【００４０】
ステップＳ３１では、画像処理部１７４が、記憶された第１の核磁気共鳴信号及び第２の核磁気共鳴信号に基づいて、スペクトログラムＳＰ２を生成する。例えば図５は、第１の核磁気共鳴信号及び第２の核磁気共鳴信号に基づいて生成されたスペクトログラムＳＰ２の一例である。図５では、スペクトログラムＳＰ２がスペクトログラムＳＰ１（点線）と併記して描いてある。スペクトログラムＳＰ２は、ＳＮ比が大きいため、操作者又は医師が充分にそのスペクトログラムＳＰ２を使って代謝物質を判断することができる。
【００４１】
＜＜第２実施形態＞＞
＜スペクトログラムの生成工程＞
図６は、第２実施形態のスペクトログラムの生成フローチャートである。第２実施形態では、第１実施形態のフローチャートに撮影時間の条件が加えられている。第１実施形態の生成フローチャートとは、ステップＳ１１、Ｓ１３、Ｓ２５及びＳ２７が異なっている。このため、新たなステップＳ１１Ｒ、Ｓ１３Ｒ、Ｓ２５Ｒ及びＳ２７Ｒのみを説明する。磁気共鳴イメージング装置の構成は第１実施形態と同じである。
【００４２】
ステップＳ１１Ｒでは、操作者は、スペクトログラムに要求するＳＮ比の閾値を入力する。第２実施形態でも、操作者は、代謝物質としてクロアチンのピークとノイズ領域の平均値とのＳＮ比の閾値を“８”と入力する。さらに、操作者は、上限の撮影時間を入力する。例えば操作者は、被検者ＳＢの体調などを考慮して、撮影時間の上限を５分と設定する。
【００４３】
ステップＳ１３Ｒでは、操作者は、表示された被検者ＳＢの大脳内に撮影領域を１箇所に設定し、ボクセルサイズ及びスペクトログラム用の核磁気共鳴信号の受信回数を設定する。これにより、演算部１７０は、パルスシーケンスの送信（撮影開始）から表示部１８０にスペクトログラムを表示する（撮影終了）までの時間を算出する。例えば、第２実施形態では、操作者は、操作部１９０を介して、例えば受信回数を“３０”と入力したため、撮影時間が４分と算出する。
【００４４】
ステップＳ２５Ｒでは、ＳＮ比計算部１７６が、さらに核磁気共鳴信号を受信する回数を計算する。ＳＮ比が“６”のスペクトログラムＳＰ１は、受信回数が３０回のパルスシーケンスで生成された。このため、ＳＮ比計算部１７６は、３０（受信回数）×８（閾値）／６（ＳＮ比）−３０（受信回数）＝１０（不足分の受信回数）と計算する。つまり、１０回以上、スペクトログラム用の核磁気共鳴信号を受信すれば、ＳＮ比の高いスペクトログラムを得ることができることがわかる。
【００４５】
一方、演算部１７０は、スペクトログラム用の核磁気共鳴信号を１０回分受信する撮影時間を算出する。演算部１７０は、例えば、パルスシーケンスの送信（撮影開始）から表示部１８０にスペクトログラムを表示する（撮影終了）までに２分かかると算出する。すでに、ステップＳ１５からステップＳ２３までに撮影時間が４分経過しているため、スペクトログラム用の核磁気共鳴信号を１０回分受信すると合計撮影時間が６分になってしまう。これでは、ステップＳ１１Ｒで設定した上限の撮影時間が５分を越えてしまう。そこで、演算部１７０は、残りの撮影時間１分で得られるパルスシーケンスをパルスシーケンス制御部１６０に指示する。例えば、スペクトログラム用の核磁気共鳴信号を５回分受信できるパルスシーケンスになる。
【００４６】
ステップＳ２７Ｒでは、パルスシーケンス制御部１６０が、５回の核磁気共鳴信号を受信する撮影プロトコルに従い、パルスシーケンスを送信する。
【００４７】
第２実施形態では、被検者ＳＢの体調などの許す範囲で、充分にＳＮ比が改善されたスペクトログラムＳＰ２を使って代謝物質を操作者又は医師が判断することができる。
【００４８】
＜＜第３実施形態＞＞
第１実施形態及び第２実施形態では、シングルボクセルを設定した際に、複数回、核磁気共鳴信号を収集する場合について説明した。第３実施形態では、マルチボクセルを設定する例を説明する。
【００４９】
図７（ａ）は、操作者は、撮影条件設定用の初期画面にマルチボクセルの撮影領域を設定した状態を示した図である。図７（ｂ）は、各ボクセルサイズのスペクトログラムを示した図である。
【００５０】
＜スペクトログラムの生成工程＞
図８は、第３実施形態のスペクトログラムの生成フローチャートである。第１実施形態の生成フローチャートとは、ステップＳ１３、及びＳ２１が異なっている。このため、新たなステップＳ１３Ｔ、及びＳ２１Ｔのみを説明する。磁気共鳴イメージング装置の構成は第１実施形態と同じである。
【００５１】
ステップＳ１３Ｔでは、まず表示部１８０に図７（ａ）に示されるような、撮影条件設定用の初期画面が表示される。操作者は、表示された被検者ＳＢの大脳内に撮影領域を設定し、ボクセルサイズ及びボクセル数を設定する。図７（ａ）では９つのボクセルＶＸ（ＶＸ１〜ＶＸ９）が設定されている。また、第１及び第２実施形態と同様に、操作者は、データ収集部１５０が収集するスペクトログラム用の核磁気共鳴信号の受信回数を設定する。
【００５２】
さらに、操作者は、ボクセルＶＸ（ＶＸ１〜ＶＸ９）から基準ボクセルＳＶＸを１つ設定する。例えばボクセルＶＸ５が基準ボクセルＳＶＸと設定される。代謝物質のピークの高さとノイズ領域の平均値とのＳＮ比を計算する場合、９つのボクセルＶＸ（ＶＸ１〜ＶＸ９）があると、撮影領域の違い等から各々のＳＮ比が異なる。このため、マルチボクセルの撮影領域の場合には、基準ボクセルＳＶＸを１つ設定する。
【００５３】
ステップＳ２１Ｔでは、ＳＮ比計算部１７６が、基準ボクセルＳＶＸであるボクセルＶＸ５における代謝物質のピークとノイズ領域の平均値とのＳＮ比を計算する。
【００５４】
なお、第３実施形態の応用例として、基準ボクセルＳＶＸを２つ以上設定するように応用してもよい。例えばステップＳ１３Ｔで、基準ボクセルＳＶＸをボクセルＶＸ５とボクセルＶＸ６との２つに設定したい場合を考える。この場合には、ステップＳ２１Ｔで、ＳＮ比計算部１７６が、ボクセルＶＸ５における代謝物質のピークとノイズ領域の平均値とのＳＮ比を計算し、且つボクセルＶＸ６における代謝物質のピークとノイズ領域の平均値とのＳＮ比を計算する。そしてＳＮ比計算部１７６は、ボクセルＶＸ５のＳＮ比とボクセルＶＸ６のＳＮ比とを平均化する。ＳＮ比判定部１７８は、その平均化されたＳＮ比が閾値より大きいかを判定すればよい。
【符号の説明】
【００５５】
１０    …  磁気共鳴イメージング装置
１００  …  マグネットシステム
１０２  …  主磁場コイル部
１０６  …  勾配コイル部
１０８  …  ＲＦコイル部
１１０  …  寝台
１３０  …  勾配コイル駆動部
１４０  …  ＲＦコイル駆動部
１５０  …  データ収集部
１６０  …  パルスシーケンス制御部
１７０  …  演算部
１７１  …  制御部
１７２  …  記憶部
１７４  …  画像処理部
１７６  …  ＳＮ比計算部
１７８  …  ＳＮ比判定部
１８０  …  表示部
１９０  …  操作部
ＮＡ    …  ノイズ領域
ＮＶ１  …  平均値
ＰＫ１  …  波高
ＳＡ    …  信号領域
ＳＢ    …  被検者
ＳＰ１  …  スペクトログラム
ＳＰ２  …  スペクトログラム
ＳＴ    …  基準値
ＳＶＸ  …  基準ボクセル
ＶＸ    …  ボクセル
【図１】
0005908704.tif 000002
【図２】
0005908704.tif 000003
【図３】
0005908704.tif 000004
【図４】
0005908704.tif 000005
【図５】
0005908704.tif 000006
【図６】
0005908704.tif 000007
【図７】
0005908704.tif 000008
【図８】
0005908704.tif 000009